(57)【要約】【課題】ヒートポンプと吸放湿手段を用い、循環経路のない単純な構成で、効率の良い除湿が行える除湿装置を提供する。【解決手段】除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加させる。さらに吸湿部１２０に除湿補助空気２を供給することによって、吸放湿手段１１９の吸湿に適する風量と、ヒートポンプ１１８の吸放熱および吸放湿手段１１９の放湿に適する風量とのアンバランスを解消し、効率の良い除湿を行う。【選択図】図１
2006116493.tif 000002
【特許請求の範囲】
【請求項１】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給するとともに、前記吸湿部（１２０）に、前記放湿部（１２１）に供給される除湿対象空気（１１６）よりも多くの空気を供給する構成としたことを特徴とする除湿装置。
【請求項２】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給するとともに、前記吸湿部（１２０）に、前記吸熱器（１０５）に供給される除湿対象空気（１１６）よりも多くの空気を供給する構成としたことを特徴とする除湿装置。
【請求項３】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給するとともに、前記吸湿部（１２０）に、前記放熱器（１０３）に供給される除湿対象空気（１１６）よりも多くの空気を供給する構成としたことを特徴とする除湿装置。
【請求項４】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給するとともに、前記吸湿部（１２０）に除湿補助空気（２）を供給する構成としたことを特徴とする除湿装置。
【請求項５】
除湿補助空気（２）の温度を、放湿部（１２１）に供給される除湿対象空気（１１６）よりも低温で、吸湿部（１２０）に供給される除湿対象空気（１１６）よりも高温となるように構成したことを特徴とする請求項４記載の除湿装置。
【請求項６】
除湿対象空気（１１６）と除湿補助空気（２）の吸湿部（１２０）通過方向を同一方向となるように構成したことを特徴とする請求項４または５記載の除湿装置。
【請求項７】
除湿対象空気（１１６）と除湿補助空気（２）の吸湿部（１２０）通過方向を反対方向となるように構成したことを特徴とする請求項４または５記載の除湿装置。
【請求項８】
除湿対象空気（１１６）と除湿補助空気（２）を単一の送風ファン（１）により供給する構成としたことを特徴とする請求項４、５、６または７記載の除湿装置。
【請求項９】
除湿対象空気（１１６）を供給する除湿空気用ファン（１２）と、除湿補助空気（２）を供給する補助空気用ファン（１４）を備えた構成としたことを特徴とする請求項４、５、６または７記載の除湿装置。
【請求項１０】
吸放湿手段（１１９）を、ハニカムローター（１０８）に担持された吸着剤（１０７）が、吸湿部（１２０）において除湿対象空気（１１６）から水分を吸着するとともに放湿部（１２１）において除湿対象空気（１１６）へ水分を脱着するように前記ハニカムローター（１０８）を配し、前記ハニカムローター（１０８）の回転によって、前記吸湿部（１２０）における水分吸着と前記放湿部（１２１）における水分脱着を繰り返すように構成したことを特徴とする請求項４、５、６、７、８または９記載の除湿装置。
【請求項１１】
ハニカムローター（１０８）の回転によって、吸着剤（１０７）が、放熱器（１０３）で加熱された除湿対象空気（１１６）、除湿補助空気（２）、吸熱器（１０５）で冷却された除湿対象空気（１１６）の順に接触を繰り返すように構成したことを特徴とする請求項１０記載の除湿装置。
【請求項１２】
ハニカムローター（１０８）の回転によって、吸着剤（１０７）が、放熱器（１０３）で加熱された除湿対象空気（１１６）、吸熱器（１０５）で冷却された除湿対象空気（１１６）、除湿補助空気（２）の順に接触を繰り返すように構成したことを特徴とする請求項１０記載の除湿装置。
【請求項１３】
ハニカムローター（１０８）の回転によって、吸着剤（１０７）が、放熱器（１０３）で加熱された除湿対象空気（１１６）、除湿補助空気（２）、吸熱器（１０５）で冷却された除湿対象空気（１１６）、除湿補助空気（２）の順に接触を繰り返すように構成したことを特徴とする請求項１０記載の除湿装置。
【請求項１４】
冷媒（１１７）が放熱器（１０３）において超臨界圧力にて放熱を行う構成としたことを特徴とする請求項１、２、３、４、５、６、７、８、９、１０、１１、１２または１３記載の除湿装置。
【請求項１５】
冷媒（１１７）として二酸化炭素を用いる構成としたことを特徴とする請求項１、２、３、４、５、６、７、８、９、１０、１１、１２、１３または１４記載の除湿装置。
【発明の詳細な説明】
【技術分野】
【０００１】
本発明は、圧縮機、放熱器、膨張機構、吸熱器等から構成されるヒートポンプと、吸着剤や吸収剤を用いて吸放湿を行う吸放湿手段を備えた除湿装置に関する。
【背景技術】
【０００２】
従来のヒートポンプと吸放湿手段を備えた除湿装置としては、放熱器、吸放湿手段の放湿部、吸熱器の順に空気を循環させるものがある（例えば、特許文献１参照）。
【０００３】
以下、その除湿装置について図１７を参照しながら説明する。
【０００４】
図１７に示すように、除湿装置の本体１０１内には、圧縮機１０２、放熱器１０３、膨張機構１０４、吸熱器１０５を配管接続した冷媒回路１０６と、吸着剤１０７が担持されたハニカムローター１０８が設けられており、循環ファン１０９によって送風される循環空気１１０が、放熱器１０３、ハニカムローター１０８の一部、吸熱器１０５の順に循環するように循環経路１１１が形成されている。また、ハニカムローター１０８の他の部分は、吸込口１１２および吹出口１１３を開口した供給経路１１４内に配置されており、供給ファン１１５によって除湿対象空気１１６が供給されている。また、冷媒回路１０６内には冷媒１１７が充填されており、この冷媒１１７が、圧縮機１０２で圧縮されることによって、放熱器１０３、膨張機構１０４、吸熱器１０５の順に冷媒回路１０６内を循環し、放熱器１０３において循環空気１１０に放熱するとともに、吸熱器１０５において循環空気１１０から吸熱することによってヒートポンプ１１８を動作させている。ハニカムローター１０８は、図示しない駆動手段によって回転しており、この回転に伴いハニカムローター１０８に担持された吸着剤１０７が、循環経路１１１内における循環空気１１０との接触と供給経路１１４内における除湿対象空気１１６との接触を繰り返している。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、循環経路１１１内で吸着剤１０７と接触する循環空気１１０は、放熱器１０３において冷媒１１７の放熱により加熱されて除湿対象空気１１６よりも低い相対湿度の空気となっているので、この相対湿度の差によって、吸着剤１０７が、除湿対象空気１１６中の水分を吸着し、吸着した水分を循環空気１１０中に脱着するように作用する。この吸脱着作用によって吸放湿手段１１９としての動作が為されることとなり、ハニカムローター１０８の供給経路１１４内に位置する部分が除湿対象空気１１６から吸湿する吸湿部１２０、ハニカムローター１０８の循環経路１１１内に位置する部分が循環空気１１０へ放湿する放湿部１２１となる。吸湿部１２０において吸湿された除湿対象空気１１６は低湿の空気となって吹出口１１３から本体１０１外部に流出し、また、放湿部１２１において放湿された循環空気１１０は、高湿の空気となって吸熱器１０５に供給される。吸熱器１０５に供給された高湿の循環空気１１０は、冷媒１１７の吸熱によって露点温度以下まで冷却されて空気中の水分が飽和する。この飽和した水分が凝縮してタンク１２２に滴下し、このタンク１２２に溜まった凝縮水の量が除湿装置の除湿量となるのである。
【特許文献１】特開昭６３−１４２３号公報（第２−３頁、第１図）
【発明の開示】
【発明が解決しようとする課題】
【０００５】
以上の例では、吸湿部１２０において除湿対象空気１１６から吸湿し、この吸湿した水分を、放熱器１０３で加熱した高温の循環空気１１０を放湿部１２１に供給することによって放湿させ、この放湿させた水分を含んだ高湿の循環空気１１０を吸熱器１０５において冷却して水分を飽和させることにより除湿するようにしている。したがって循環空気１１０を放熱器１０３、放湿部１２１、吸熱器１０５に循環させる循環経路１１１を密閉性よく本体１０１内に形成する必要があり、装置構成が複雑化するという問題点があった。そして循環経路１１１の密閉度が低い場合には、除湿対象空気１１６と循環空気１１０との湿度移行が発生して除湿効率が低下するという問題点があった。
【０００６】
本発明は上記課題を解決するものであり、循環経路１１１のない単純な構成で、効率の良い除湿が行える除湿装置を提供することを目的としている。
【課題を解決するための手段】
【０００７】
上記した目的を達成するために、本発明が講じた第１の課題解決手段は、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給するとともに、前記吸湿部（１２０）に、前記放湿部（１２１）に供給される除湿対象空気（１１６）よりも多くの空気を供給する構成としたものである。
【０００８】
この手段では、除湿対象空気（１１６）を、放熱器（１０３）においてヒートポンプ（１１８）の放熱により加熱し、次に放湿部（１２１）において吸放湿手段（１１９）の放湿により加湿し、次に吸熱器（１０５）においてヒートポンプ（１１８）の吸熱により冷却し、次に吸湿部（１２０）において吸放湿手段（１１９）の吸湿により除湿する。これにより放湿部（１２１）には加熱された低い相対湿度の除湿対象空気（１１６）が供給され、吸湿部（１２０）には冷却された高い相対湿度の除湿対象空気（１１６）が供給される。したがって吸湿部（１２０）に供給される除湿対象空気（１１６）と放湿部（１２１）に供給される除湿対象空気（１１６）との相対湿度の差が拡大して吸放湿手段（１１９）の吸放湿量が増加することになる。さらに吸湿部（１２０）には放湿部（１２１）に供給される除湿対象空気（１１６）よりも多くの空気が供給される。これにより吸放湿手段（１１９）の吸湿に適する風量と、吸放湿手段（１１９）の放湿に適する風量とのアンバランスが解消されることになる。
【０００９】
また、本発明が講じた第２の課題解決手段は、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給するとともに、前記吸湿部（１２０）に、前記吸熱器（１０５）に供給される除湿対象空気（１１６）よりも多くの空気を供給する構成としたものである。
【００１０】
この手段では、除湿対象空気（１１６）を、放熱器（１０３）においてヒートポンプ（１１８）の放熱により加熱し、次に放湿部（１２１）において吸放湿手段（１１９）の放湿により加湿し、次に吸熱器（１０５）においてヒートポンプ（１１８）の吸熱により冷却し、次に吸湿部（１２０）において吸放湿手段（１１９）の吸湿により除湿する。これにより放湿部（１２１）には加熱された低い相対湿度の除湿対象空気（１１６）が供給され、吸湿部（１２０）には冷却された高い相対湿度の除湿対象空気（１１６）が供給される。したがって吸湿部（１２０）に供給される除湿対象空気（１１６）と放湿部（１２１）に供給される除湿対象空気（１１６）との相対湿度の差が拡大して吸放湿手段（１１９）の吸放湿量が増加することになる。さらに吸湿部（１２０）には吸熱器（１０５）に供給される除湿対象空気（１１６）よりも多くの空気が供給される。これにより吸放湿手段（１１９）の吸湿に適する風量と、ヒートポンプ（１１８）の吸熱に適する風量とのアンバランスが解消されることになる。
【００１１】
また、本発明が講じた第３の課題解決手段は、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給するとともに、前記吸湿部（１２０）に、前記放熱器（１０３）に供給される除湿対象空気（１１６）よりも多くの空気を供給する構成としたものである。
【００１２】
この手段では、除湿対象空気（１１６）を、放熱器（１０３）においてヒートポンプ（１１８）の放熱により加熱し、次に放湿部（１２１）において吸放湿手段（１１９）の放湿により加湿し、次に吸熱器（１０５）においてヒートポンプ（１１８）の吸熱により冷却し、次に吸湿部（１２０）において吸放湿手段（１１９）の吸湿により除湿する。これにより放湿部（１２１）には加熱された低い相対湿度の除湿対象空気（１１６）が供給され、吸湿部（１２０）には冷却された高い相対湿度の除湿対象空気（１１６）が供給される。したがって吸湿部（１２０）に供給される除湿対象空気（１１６）と放湿部（１２１）に供給される除湿対象空気（１１６）との相対湿度の差が拡大して吸放湿手段（１１９）の吸放湿量が増加することになる。さらに吸湿部（１２０）には放熱器（１０３）に供給される除湿対象空気（１１６）よりも多くの空気が供給される。これにより吸放湿手段（１１９）の吸湿に適する風量と、ヒートポンプ（１１８）の放熱に適する風量とのアンバランスが解消されることになる。
【００１３】
また、本発明が講じた第４の課題解決手段は、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給するとともに、前記吸湿部（１２０）に除湿補助空気（２）を供給する構成としたものである。
【００１４】
この手段では、除湿対象空気（１１６）を、放熱器（１０３）においてヒートポンプ（１１８）の放熱により加熱し、次に放湿部（１２１）において吸放湿手段（１１９）の放湿により加湿し、次に吸熱器（１０５）においてヒートポンプ（１１８）の吸熱により冷却し、次に吸湿部（１２０）において吸放湿手段（１１９）の吸湿により除湿する。これにより放湿部（１２１）には加熱された低い相対湿度の除湿対象空気（１１６）が供給され、吸湿部（１２０）には冷却された高い相対湿度の除湿対象空気（１１６）が供給される。したがって吸湿部（１２０）に供給される除湿対象空気（１１６）と放湿部（１２１）に供給される除湿対象空気（１１６）との相対湿度の差が拡大して吸放湿手段（１１９）の吸放湿量が増加することになる。さらに吸湿部（１２０）には除湿補助空気（２）が供給される。これにより吸放湿手段（１１９）の吸湿に適する風量と、ヒートポンプ（１１８）の吸放熱および吸放湿手段（１１９）の放湿に適する風量とのアンバランスが解消されることになる。
【００１５】
また、本発明が講じた第５の課題解決手段は、上記第４の課題解決手段において、除湿補助空気（２）の温度を、放湿部（１２１）に供給される除湿対象空気（１１６）よりも低温で、吸湿部（１２０）に供給される除湿対象空気（１１６）よりも高温となるように構成したものである。
【００１６】
この手段では、除湿補助空気（２）の温度が、放湿部（１２１）に供給される除湿対象空気（１１６）よりも低く、吸湿部（１２０）に供給される除湿対象空気（１１６）よりも高くなる。これにより除湿補助空気（２）が、放湿部（１２１）における余熱の除去や吸湿部（１２０）での予熱に利用されることになる。
【００１７】
また、本発明が講じた第６の課題解決手段は、上記第４または第５の課題解決手段において、除湿対象空気（１１６）と除湿補助空気（２）の吸湿部（１２０）通過方向を同一方向となるように構成したものである。
【００１８】
この手段では、除湿対象空気（１１６）と除湿補助空気（２）の吸湿部（１２０）通過方向が同一方向に構成される。これにより除湿対象空気（１１６）と除湿補助空気（２）を同一方向から吸湿部（１２０）に供給することが容易となる。
【００１９】
また、本発明が講じた第７の課題解決手段は、上記第４または第５の課題解決手段において、除湿対象空気（１１６）と除湿補助空気（２）の吸湿部（１２０）通過方向を反対方向となるように構成したものである。
【００２０】
この手段では、除湿対象空気（１１６）と除湿補助空気（２）の吸湿部（１２０）通過方向が反対方向に構成される。これにより除湿対象空気（１１６）と除湿補助空気（２）を反対方向から吸湿部（１２０）に供給することが容易となる。
【００２１】
また、本発明が講じた第８の課題解決手段は、上記第４、第５、第６または第７の課題解決手段において、除湿対象空気（１１６）と除湿補助空気（２）を単一の送風ファン（１）により供給する構成としたものである。
【００２２】
この手段では、除湿対象空気（１１６）と除湿補助空気（２）が単一の送風ファン（１）により供給される。これにより複数の送風ファンを設けることが不要となる。
【００２３】
また、本発明が講じた第９の課題解決手段は、上記第４、第５、第６または第７の課題解決手段において、除湿対象空気（１１６）を供給する除湿空気用ファン（１２）と、除湿補助空気（２）を供給する補助空気用ファン（１４）を備えた構成としたものである。
【００２４】
この手段では、除湿対象空気（１１６）を供給する除湿空気用ファン（１２）と除湿補助空気（２）を供給する補助空気用ファン（１４）とが設けられる。これにより除湿対象空気（１１６）と除湿補助空気（２）の各々の風量制御が容易となる。
【００２５】
また、本発明が講じた第１０の課題解決手段は、上記第４、第５、第６、第７、第８または第９の課題解決手段において、吸放湿手段（１１９）を、ハニカムローター（１０８）に担持された吸着剤（１０７）が、吸湿部（１２０）において除湿対象空気（１１６）から水分を吸着するとともに放湿部（１２１）において除湿対象空気（１１６）へ水分を脱着するように前記ハニカムローター（１０８）を配し、前記ハニカムローター（１０８）の回転によって、前記吸湿部（１２０）における水分吸着と前記放湿部（１２１）における水分脱着を繰り返すように構成したものである。
【００２６】
この手段では、吸放湿手段（１１９）として吸着剤（１０７）が担持されたハニカムローター（１０８）が設けられる。吸着剤（１０７）は、吸湿部（１２０）において吸熱器（１０５）で冷却された高い相対湿度の除湿対象空気（１１６）と接触するとともに放湿部（１２１）において放熱器（１０３）で加熱された低い相対湿度の除湿対象空気（１１６）と接触する。そしてハニカムローター（１０８）の回転に伴い、吸湿部（１２０）および放湿部（１２１）における各々の除湿対象空気（１１６）との接触を繰り返す。吸着剤（１０７）は晒される空気の相対湿度が高ければ多くの水分を保持でき、晒される空気の相対湿度が低くなると保持可能な水分量が減少する特性を持つので、吸湿部（１２０）に供給される除湿対象空気（１１６）と放湿部（１２１）に供給される除湿対象空気（１１６）との相対湿度の差によって除湿対象空気（１１６）からの水分吸着と除湿対象空気（１１６）への水分脱着を繰り返すことになる。
【００２７】
また、本発明が講じた第１１の課題解決手段は、上記第１０の課題解決手段において、ハニカムローター（１０８）の回転によって、吸着剤（１０７）が、放熱器（１０３）で加熱された除湿対象空気（１１６）、除湿補助空気（２）、吸熱器（１０５）で冷却された除湿対象空気（１１６）の順に接触を繰り返すように構成したものである。
【００２８】
この手段では、ハニカムローター（１０８）の回転によって、吸着剤（１０７）が、放熱器（１０３）で加熱された除湿対象空気（１１６）、除湿補助空気（２）、吸熱器（１０５）で冷却された除湿対象空気（１１６）の順に接触を繰り返す。これにより吸着剤（１０７）が保有する放熱器（１０３）の余熱が除湿補助空気（２）により除去されるので、吸湿部（１２０）における除湿対象空気（１１６）からの水分吸着量が増加することになる。
【００２９】
また、本発明が講じた第１２の課題解決手段は、上記第１０の課題解決手段において、ハニカムローター（１０８）の回転によって、吸着剤（１０７）が、放熱器（１０３）で加熱された除湿対象空気（１１６）、吸熱器（１０５）で冷却された除湿対象空気（１１６）、除湿補助空気（２）の順に接触を繰り返すように構成したものである。
【００３０】
この手段では、ハニカムローター（１０８）の回転によって、吸着剤（１０７）が、放熱器（１０３）で加熱された除湿対象空気（１１６）、吸熱器（１０５）で冷却された除湿対象空気（１１６）、除湿補助空気（２）の順に接触を繰り返す。これにより吸着剤（１０７）が除湿補助空気（２）によって予熱されてから放湿部（１２１）に移動するので、放湿部（１２１）における除湿対象空気（１１６）への水分脱着量が増加することになる。
【００３１】
また、本発明が講じた第１３の課題解決手段は、上記第１０の課題解決手段において、ハニカムローター（１０８）の回転によって、吸着剤（１０７）が、放熱器（１０３）で加熱された除湿対象空気（１１６）、除湿補助空気（２）、吸熱器（１０５）で冷却された除湿対象空気（１１６）、除湿補助空気（２）の順に接触を繰り返すように構成したものである。
【００３２】
この手段では、ハニカムローター（１０８）の回転によって、吸着剤（１０７）が、放熱器（１０３）で加熱された除湿対象空気（１１６）、除湿補助空気（２）、吸熱器（１０５）で冷却された除湿対象空気（１１６）、除湿補助空気（２）の順に接触を繰り返す。これにより吸着剤（１０７）が保有する放熱器（１０３）の余熱が除湿補助空気（２）により除去されるとともに、吸着剤（１０７）が除湿補助空気（２）によって予熱されてから放湿部（１２１）に移動するので、吸湿部（１２０）における除湿対象空気（１１６）からの水分吸着量が増加するとともに、放湿部（１２１）における除湿対象空気（１１６）への水分脱着量が増加することになる。
【００３３】
また、本発明が講じた第１４の課題解決手段は、上記第１、第２、第３、第４、第５、第６、第７、第８、第９、第１０、第１１、第１２または第１３の課題解決手段において、冷媒（１１７）が放熱器（１０３）において超臨界圧力にて放熱を行う構成としたものである。
【００３４】
この手段では、冷媒（１１７）が放熱器（１０３）において超臨界圧力にて放熱を行う。即ち、ヒートポンプ（１１８）が、冷媒（１１７）が放熱器（１０３）において凝縮しない超臨界サイクルとして動作する。この超臨界サイクルでは放熱器（１０３）における冷媒温度が比較的高温となり、放熱器（１０３）において加熱される除湿対象空気（１１６）の温度も高温となる。これにより放湿部（１２１）に供給される除湿対象空気（１１６）の相対湿度が更に低下するので、吸湿部（１２０）に供給される除湿対象空気（１１６）との相対湿度の差が拡大し、吸放湿手段（１１９）の吸放湿量が更に増加することになる。
【００３５】
また、本発明が講じた第１５の課題解決手段は、上記第１、第２、第３、第４、第５、第６、第７、第８、第９、第１０、第１１、第１２、第１３または第１４の課題解決手段において、冷媒（１１７）として二酸化炭素を用いる構成としたものである。
【００３６】
この手段では、冷媒（１１７）として二酸化炭素が用いられる。二酸化炭素は、その物性から臨界圧力よりも高い圧力まで圧縮され、放熱器（１０３）において凝縮しない超臨界サイクルとして動作する。この超臨界サイクルでは放熱器（１０３）における冷媒温度が比較的高温となり、放熱器（１０３）において加熱される除湿対象空気（１１６）の温度も高温となる。これにより放湿部（１２１）に供給される除湿対象空気（１１６）の相対湿度が更に低下するので、吸湿部（１２０）に供給される除湿対象空気（１１６）との相対湿度の差が拡大し、吸放湿手段（１１９）の吸放湿量が更に増加することになる。
【発明の効果】
【００３７】
本願発明は、かかる構成とすることにより以下に記載されるような効果を奏するものである。
【００３８】
（イ）本願の第１の発明にかかる除湿装置によれば、除湿対象空気（１１６）を、放熱器（１０３）においてヒートポンプ（１１８）の放熱により加熱し、次に放湿部（１２１）において吸放湿手段（１１９）の放湿により加湿し、次に吸熱器（１０５）においてヒートポンプ（１１８）の吸熱により冷却し、次に吸湿部（１２０）において吸放湿手段（１１９）の吸湿により除湿することによって、吸湿部（１２０）に供給される除湿対象空気（１１６）と放湿部（１２１）に供給される除湿対象空気（１１６）との相対湿度差を拡大し、循環経路（１１１）を設けない単純な構成で吸放湿手段（１１９）の吸放湿量を増加することができる。さらに吸湿部（１２０）に、放湿部（１２１）に供給される除湿対象空気（１１６）よりも多くの空気を供給することによって、吸放湿手段（１１９）の吸湿に適する風量と、吸放湿手段（１１９）の放湿に適する風量とのアンバランスを解消し、効率の良い除湿を行うことができる。
【００３９】
（ロ）また、本願の第２の発明にかかる除湿装置によれば、除湿対象空気（１１６）を、放熱器（１０３）においてヒートポンプ（１１８）の放熱により加熱し、次に放湿部（１２１）において吸放湿手段（１１９）の放湿により加湿し、次に吸熱器（１０５）においてヒートポンプ（１１８）の吸熱により冷却し、次に吸湿部（１２０）において吸放湿手段（１１９）の吸湿により除湿することによって、吸湿部（１２０）に供給される除湿対象空気（１１６）と放湿部（１２１）に供給される除湿対象空気（１１６）との相対湿度差を拡大し、循環経路（１１１）を設けない単純な構成で吸放湿手段（１１９）の吸放湿量を増加することができる。さらに吸湿部（１２０）に、吸熱器（１０５）に供給される除湿対象空気（１１６）よりも多くの空気を供給することによって、吸放湿手段（１１９）の吸湿に適する風量とヒートポンプ（１１８）の吸熱に適する風量とのアンバランスを解消し、効率の良い除湿を行うことができる。
【００４０】
（ハ）また、本願の第３の発明にかかる除湿装置によれば、除湿対象空気（１１６）を、放熱器（１０３）においてヒートポンプ（１１８）の放熱により加熱し、次に放湿部（１２１）において吸放湿手段（１１９）の放湿により加湿し、次に吸熱器（１０５）においてヒートポンプ（１１８）の吸熱により冷却し、次に吸湿部（１２０）において吸放湿手段（１１９）の吸湿により除湿することによって、吸湿部（１２０）に供給される除湿対象空気（１１６）と放湿部（１２１）に供給される除湿対象空気（１１６）との相対湿度差を拡大し、循環経路（１１１）を設けない単純な構成で吸放湿手段（１１９）の吸放湿量を増加することができる。さらに吸湿部（１２０）に、放熱器（１０３）に供給される除湿対象空気（１１６）よりも多くの空気を供給することによって、吸放湿手段（１１９）の吸湿に適する風量とヒートポンプ（１１８）の放熱に適する風量とのアンバランスを解消し、効率の良い除湿を行うことができる。
【００４１】
（ニ）また、本願の第４の発明にかかる除湿装置によれば、除湿対象空気（１１６）を、放熱器（１０３）においてヒートポンプ（１１８）の放熱により加熱し、次に放湿部（１２１）において吸放湿手段（１１９）の放湿により加湿し、次に吸熱器（１０５）においてヒートポンプ（１１８）の吸熱により冷却し、次に吸湿部（１２０）において吸放湿手段（１１９）の吸湿により除湿することによって、吸湿部（１２０）に供給される除湿対象空気（１１６）と放湿部（１２１）に供給される除湿対象空気（１１６）との相対湿度差を拡大し、循環経路（１１１）を設けない単純な構成で吸放湿手段（１１９）の吸放湿量を増加することができる。さらに吸湿部（１２０）に除湿補助空気（２）を供給することによって、吸放湿手段（１１９）の吸湿に適する風量と、ヒートポンプ（１１８）の吸放熱および吸放湿手段（１１９）の放湿に適する風量とのアンバランスを解消し、効率の良い除湿を行うことができる。
【００４２】
（ホ）また、本願の第５の発明にかかる除湿装置によれば、上記（ニ）に記載した効果に加えて、除湿補助空気（２）の温度を、放湿部（１２１）に供給される除湿対象空気（１１６）よりも低温で、吸湿部（１２０）に供給される除湿対象空気（１１６）よりも高温となるように構成することによって、除湿補助空気（２）を放湿部（１２１）における余熱の除去や吸湿部（１２０）での予熱に利用することができる。
【００４３】
（ヘ）また、本願の第６の発明にかかる除湿装置によれば、上記（ニ）または（ホ）に記載した効果に加えて、除湿対象空気（１１６）と除湿補助空気（２）の吸湿部（１２０）通過方向を同一方向となるように構成することによって、除湿対象空気（１１６）と除湿補助空気（２）を同一方向から容易に吸熱器（１０５）に供給することができる。これにより単一の供給空気を用いる除湿に適した装置構成を容易に実現することができる。
【００４４】
（ト）また、本願の第７の発明にかかる除湿装置によれば、上記（ニ）または（ホ）に記載した効果に加えて、除湿対象空気（１１６）と除湿補助空気（２）の吸湿部（１２０）通過方向を反対方向となるように構成することによって、除湿対象空気（１１６）と除湿補助空気（２）を反対方向から容易に吸湿部（１２０）に供給することができる。これにより複数の供給空気を用いる除湿に適した装置構成を容易に実現することができる。
【００４５】
（チ）また、本願の第８の発明にかかる除湿装置によれば、上記（ニ）、（ホ）、（ヘ）または（ト）に記載した効果に加えて、除湿対象空気（１１６）と除湿補助空気（２）を単一の送風ファン（１）により供給する構成とすることによって、複数の送風ファンが不要となり装置を小型化することができる。
【００４６】
（リ）また、本願の第９の発明にかかる除湿装置によれば、上記（ニ）、（ホ）、（ヘ）または（ト）に記載した効果に加えて、除湿対象空気（１１６）を供給する除湿空気用ファン（１２）と、除湿補助空気（２）を供給する補助空気用ファン（１４）を備えた構成とすることによって、除湿対象空気（１１６）と除湿補助空気（２）の各々の風量制御を容易に行うことができる。
【００４７】
（ヌ）また、本願の第１０の発明にかかる除湿装置によれば、上記（ニ）、（ホ）、（ヘ）、（ト）、（チ）または（リ）に記載した効果に加えて、吸放湿手段（１１９）を、ハニカムローター（１０８）に担持された吸着剤（１０７）が、吸湿部（１２０）において除湿対象空気（１１６）から水分を吸着するとともに放湿部（１２１）において除湿対象空気（１１６）へ水分を脱着するようにハニカムローター（１０８）を配し、ハニカムローター（１０８）の回転により、吸湿部（１２０）における水分吸着と放湿部（１２１）における水分脱着を繰り返すように構成することによって、ハニカムローター（１０８）の回転という簡単な操作で、吸湿部（１２０）における吸着剤（１０７）の水分吸着と、放湿部（１２１）における吸着剤（１０７）の水分脱着を容易に繰り返すことができ、除湿装置を安価に構成することができる。
【００４８】
（ル）また、本願の第１１の発明にかかる除湿装置によれば、上記（ヌ）に記載した効果に加えて、ハニカムローター（１０８）の回転によって、吸着剤（１０７）が、放熱器（１０３）で加熱された除湿対象空気（１１６）、除湿補助空気（２）、吸熱器（１０５）で冷却された除湿対象空気（１１６）の順に接触を繰り返すように構成することによって、吸着剤（１０７）が保有する放熱器（１０３）の余熱を除湿補助空気（２）により除去し、吸湿部（１２０）における除湿対象空気（１１６）からの水分吸着量を増加させることができる。
【００４９】
（ヲ）また、本願の第１２の発明にかかる除湿装置によれば、上記（ヌ）に記載した効果に加えて、ハニカムローター（１０８）の回転によって、吸着剤（１０７）が、放熱器（１０３）で加熱された除湿対象空気（１１６）、吸熱器（１０５）で冷却された除湿対象空気（１１６）、除湿補助空気（２）の順に接触を繰り返すように構成することによって、吸着剤（１０７）を除湿補助空気（２）によって予熱してから放湿部（１２１）に移動させ、放湿部（１２１）における除湿対象空気（１１６）への水分脱着量を増加させることができる。
【００５０】
（ワ）また、本願の第１３の発明にかかる除湿装置によれば、上記（ヌ）に記載した効果に加えて、ハニカムローター（１０８）の回転によって、吸着剤（１０７）が、放熱器（１０３）で加熱された除湿対象空気（１１６）、除湿補助空気（２）、吸熱器（１０５）で冷却された除湿対象空気（１１６）、除湿補助空気（２）の順に接触を繰り返すように構成することによって、吸着剤（１０７）が保有する放熱器（１０３）の余熱を除湿補助空気（２）により除去するとともに、吸着剤（１０７）を除湿補助空気（２）によって予熱してから放湿部（１２１）に移動させ、吸湿部（１２０）における除湿対象空気（１１６）からの水分吸着量と放湿部（１２１）における除湿対象空気（１１６）への水分脱着量を増加させることができる。
【００５１】
（カ）また、本願の第１４の発明にかかる除湿装置によれば、上記（イ）、（ロ）、（ハ）、（ニ）、（ホ）、（ヘ）、（ト）、（チ）、（リ）、（ヌ）、（ル）、（ヲ）または（ワ）に記載した効果に加えて、冷媒（１１７）が放熱器（１０３）において超臨界圧力にて放熱を行う構成とすることによって、放熱器（１０３）において除湿対象空気（１１６）を更に高温に加熱し、放湿部（１２１）に供給される除湿対象空気（１１６）と吸湿部（１２０）に供給される除湿対象空気（１１６）との相対湿度差を拡大することができる。これにより吸放湿手段（１１９）の吸放湿量を増加して更に効率の良い除湿を行うことができる。
【００５２】
（ヨ）また、本願の第１５の発明にかかる除湿装置によれば、上記（イ）、（ロ）、（ハ）、（ニ）、（ホ）、（ヘ）、（ト）、（チ）、（リ）、（ヌ）、（ル）、（ヲ）、（ワ）または（カ）に記載した効果に加えて、冷媒（１１７）として二酸化炭素を用いる構成とすることによって、放熱器（１０３）において除湿対象空気（１１６）を更に高温に加熱し、放湿部（１２１）に供給される除湿対象空気（１１６）と吸湿部（１２０）に供給される除湿対象空気（１１６）との相対湿度差を拡大することができる。これにより吸放湿手段（１１９）の吸放湿量を増加して更に効率の良い除湿を行うことができる。
【発明を実施するための最良の形態】
【００５３】
以下、本発明の実施の形態について図面を参照しながら説明する。なお、従来の例と同一の構成要素については同一の符号を用い、詳細な説明は省略する。
【００５４】
（実施の形態１）
図１は、本発明の実施形態１にかかる除湿装置の概略構成を示した図である。図１に示すように、除湿装置の本体１０１内に、圧縮機１０２、放熱器１０３、膨張機構１０４、吸熱器１０５を配管接続した冷媒回路１０６と、供給空気から吸湿する吸湿部１２０および供給空気に対して放湿する放湿部１２１を有する吸放湿手段１１９を設け、冷媒回路１０６内に冷媒１１７を充填している。また、本体１０１には吸込口１１２と吹出口１１３を開口し、送風ファン１の運転によって、吸込口１１２から除湿対象空気１１６と除湿補助空気２を本体１０１内に供給する構成としている。そして、本体１０１内に供給された除湿対象空気１１６が、放熱器１０３、放湿部１２１、吸熱器１０５、吸湿部１２０の順に供給されて吹出口１１３より本体１０１外部に流出し、また、除湿補助空気２が、除湿対象空気１１６と同一方向から吸湿部１２０に供給されて除湿対象空気１１６とともに吹出口１１３より本体１０１外部に流出するように風路を形成している。そして、圧縮機１０２により冷媒１１７を圧縮することによって、冷媒１１７が、放熱器１０３、膨張機構１０４、吸熱器１０５の順に冷媒回路１０６内を循環し、放熱器１０３に供給される除湿対象空気１１６に対して放熱するとともに吸熱器１０５に供給される除湿対象空気１１６から吸熱することによってヒートポンプ１１８を作動させる構成となっている。
【００５５】
図２は、吸放湿手段１１９の詳細構成を示した図である。吸放湿手段１１９は、吸着剤１０７が担持された軸方向に通風可能な円筒状のハニカムローター１０８を備えており、このハニカムローター１０８を回動自在に回転軸３で支持している。そして、ハニカムローター１０８の外周にギア４を形成し、このギア４と回転駆動する駆動モーター５の歯車部６にベルト７を巻装している。また、吸湿部１２０に供給される除湿対象空気１１６および除湿補助空気２と放湿部１２１に供給される除湿対象空気１１６の相互流通を抑制するように風路を仕切っており、駆動モーター５を駆動するとベルト７を介してギア４に駆動力が伝達してハニカムローター１０８が回転することになる。このハニカムローター１０８の回転によって吸着剤１０７は、放湿部１２１に供給される除湿対象空気１１６、吸湿部１２０に供給される除湿補助空気２、吸湿部１２０に供給される除湿対象空気１１６の順に接触を繰り返すことになる。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、放湿部１２１で吸着剤１０７と接触する除湿対象空気１１６は、放熱器１０３において冷媒１１７の放熱により加熱された高温かつ低い相対湿度の空気であり、吸湿部１２０で吸着剤１０７と接触する除湿対象空気１１６は、吸熱器１０５において冷媒１１７の吸熱により冷却された低温かつ高い相対湿度の空気であるので、この相対湿度の差によって、吸着剤１０７の吸脱着作用が為されて吸放湿手段１１９が作動することになる。また、吸湿部１２０で吸着剤１０７と接触する除湿補助空気２は、除湿装置周囲の空気であり、放湿部１２１に供給される除湿対象空気１１６より低温で吸湿部１２０に供給される除湿対象空気１１６より高温であるので、吸着剤１０７が、放熱器１０３の余熱を除湿補助空気２によって除去された後に吸湿部１２０に供給される低温の除湿対象空気１１６と接触するので吸着剤１０７の水分吸着量が増加することになる。次に除湿装置の動作を説明する。
【００５６】
図３は、図１に示した除湿装置の冷媒１１７の状態変化を示すモリエル線図（圧力−エンタルピ線図）である。図３に示した点Ａ、点Ｂ、点Ｃ、点Ｄを矢符で結んだサイクルは、冷媒回路１０６内を循環する冷媒１１７の状態変化を示しており、冷媒１１７は圧縮機１０２において圧縮されることにより圧力とエンタルピが上昇して点Ａから点Ｂの状態変化を行い、放熱器１０３において供給される除湿対象空気１１６に対して放熱することによりエンタルピが減少して点Ｂから点Ｃの状態となる。次に膨張機構１０４において膨張して減圧することにより圧力が低下して点Ｃから点Ｄの状態変化を行い、吸熱器１０５において供給される除湿対象空気１１６から吸熱することによりエンタルピが増加して点Ｄから点Ａの状態に戻る。このような冷媒１１７の状態変化により、吸熱器１０５において吸熱し、放熱器１０３において放熱するヒートポンプ１１８が動作し、この時、点Ｂと点Ｃのエンタルピ差に冷媒１１７の循環量を乗じた値が放熱器１０３における放熱量、点Ａと点Ｄ（点Ｃ）のエンタルピ差に冷媒１１７の循環量を乗じた値が吸熱器１０５における吸熱量となり、放熱量と吸熱量の差、即ち点Ｂと点Ａのエンタルピ差に冷媒１１７の循環量を乗じた値が圧縮機１０２の圧縮仕事量になる。
【００５７】
図４は、図１に示した除湿装置における除湿対象空気１１６および除湿補助空気２の状態変化を示す湿り空気線図である。図４に示した湿り空気線図において、まず、点ａの状態の除湿対象空気１１６が放熱器１０３に供給され、冷媒１１７の放熱により加熱されて点ｂの状態となる。点ｂの状態となった除湿対象空気１１６は、次に放湿部１２１に供給されてハニカムローター１０８に担持された吸着剤１０７が保有している水分を脱着することにより加湿されて、湿度が上昇するとともに温度が低下して点ｃの状態となる。点ｃの状態となった除湿対象空気１１６は、次に吸熱器１０５に供給され、冷媒１１７の吸熱により露点温度以下まで冷却されて点ｄの飽和状態となる。この時に飽和した水分は凝縮水としてタンク１２２に回収される。点ｄの飽和状態となった除湿対象空気１１６は次に吸湿部１２０に供給され、吸着剤１０７に水分を吸着されることによって除湿されて湿度が低下するとともに温度が上昇し、点ｅの状態の乾燥空気となる。一方、点ａの状態の除湿補助空気２は、吸湿部１２０に供給されて吸着剤１０７が保有する放熱器１０３の余熱を除去するとともに吸着剤１０７に水分を吸着されることによって除湿され、温度が上昇するとともに湿度が低下して点ｆの乾燥空気となる。点ｅの状態となった除湿対象空気１１６と点ｆの状態となった除湿補助空気２は、ともに送風ファン１に吸引されて装置外部に排出される。以上の除湿対象空気１１６および除湿補助空気２の状態変化において、吸熱器１０５において回収される凝縮水の量は、点ｃと点ｄの絶対湿度差に除湿対象空気１１６の重量換算風量を乗じた値となり、放湿部１２１における放湿量は、点ｂと点ｃの絶対湿度差に除湿対象空気１１６の重量換算風量を乗じた値となる。また、吸湿部１２０における吸湿量は、点ｄと点ｅの絶対湿度差に除湿対象空気１１６の重量換算風量を乗じた値と点ａと点ｆの絶対湿度差に除湿補助空気２の重量換算風量を乗じた値との加算値となる。
【００５８】
以上の動作において、理想状態では、放湿部１２１の出口空気状態を示す点ｃは、吸湿部１２０の入口空気状態を示す点ｄと同一の相対湿度である点ｃ’に近づき、吸湿部１２０の出口空気状態を示す点ｅおよび点ｆは、放湿部１２１の入口空気状態を示す点ｂと同一の相対湿度である点ｅ’および点ｆ’に近づく。したがって点ｄの相対湿度を上昇させ、点ｂの相対湿度を低下させること、即ち、点ｄで示した吸湿部１２０への供給空気と点ｂで示した放湿部１２１への供給空気との相対湿度差を拡大することが吸放湿量を高めることになり、結果的に除湿効率が向上することになるのである。また、点ａと点ｂのエンタルピ差に除湿対象空気１１６の重量換算風量を乗じた値が放熱器１０３における放熱量、点ｃと点ｄのエンタルピ差に除湿対象空気１１６の重量換算風量を乗じた値が吸熱器１０５における吸熱量となり、この放熱器１０３における放熱量および吸熱器１０５における吸熱量は、図３の冷媒１１７の状態変化から得られる放熱量および吸熱量と等しくなる。従って、除湿対象空気１１６のみでは不足する吸放湿手段１１９の吸湿量を除湿補助空気２が補うことによって、除湿対象空気１１６の風量を放熱器１０３における放熱、放湿部１２１における放湿、吸熱器１０５における吸熱の各過程における最適な値に設定することができるのである。
【００５９】
以上、説明した構成および動作により、本実施形態の除湿装置は以下の効果を奏するものである。
【００６０】
除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に、放湿部１２１に供給される除湿対象空気１１６よりも多くの空気を供給することによって、吸放湿手段１１９の吸湿に適する風量と、吸放湿手段１１９の放湿に適する風量とのアンバランスを解消し、効率の良い除湿を行うことができる。
【００６１】
また、除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に、吸熱器１０５に供給される除湿対象空気１１６よりも多くの空気を供給することによって、吸放湿手段１１９の吸湿に適する風量とヒートポンプ１１８の吸熱に適する風量とのアンバランスを解消し、効率の良い除湿を行うことができる。
【００６２】
また、除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に、放熱器１０３に供給される除湿対象空気１１６よりも多くの空気を供給することによって、吸放湿手段１１９の吸湿に適する風量とヒートポンプ１１８の放熱に適する風量とのアンバランスを解消し、効率の良い除湿を行うことができる。
【００６３】
また、除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に除湿補助空気２を供給することによって、吸放湿手段１１９の吸湿に適する風量と、ヒートポンプ１１８の吸放熱および吸放湿手段１１９の放湿に適する風量とのアンバランスを解消し、効率の良い除湿を行うことができる。
【００６４】
また、除湿補助空気２の温度を、放湿部１２１に供給される除湿対象空気１１６よりも低温で、吸湿部１２０に供給される除湿対象空気１１６よりも高温となるように構成することによって、除湿補助空気２を放湿部１２１における余熱の除去や吸湿部１２０での予熱に利用することができる。
【００６５】
また、除湿対象空気１１６と除湿補助空気２の吸湿部１２０通過方向を同一方向となるように構成することによって、除湿対象空気１１６と除湿補助空気２を同一方向から容易に吸湿部１２０に供給することができる。これにより単一の供給空気を用いる除湿に適した装置構成を容易に実現することができる。
【００６６】
また、除湿対象空気１１６と除湿補助空気２を単一の送風ファン１により供給する構成とすることによって、複数の送風ファンが不要となり装置を小型化することができる。
【００６７】
また、吸放湿手段１１９を、ハニカムローター１０８に担持された吸着剤１０７が、吸湿部１２０において除湿対象空気１１６から水分を吸着するとともに放湿部１２１において除湿対象空気１１６へ水分を脱着するようにハニカムローター１０８を配し、ハニカムローター１０８の回転により、吸湿部１２０における水分吸着と放湿部１２１における水分脱着を繰り返すように構成することによって、ハニカムローター１０８の回転という簡単な操作で、吸湿部１２０における吸着剤１０７の水分吸着と、放湿部１２１における吸着剤１０７の水分脱着を容易に繰り返すことができ、除湿装置を安価に構成することができる。
【００６８】
また、ハニカムローター１０８の回転によって、吸着剤１０７が、放熱器１０３で加熱された除湿対象空気１１６、除湿補助空気２、吸熱器１０５で冷却された除湿対象空気１１６の順に接触を繰り返すように構成することによって、吸着剤１０７が保有する放熱器１０３の余熱を除湿補助空気２により除去し、吸湿部１２０における除湿対象空気１１６からの水分吸着量を増加させることができる。
【００６９】
なお、本実施形態のハニカムローター１０８に担持する吸着剤１０７としては、吸湿性があってハニカムローター１０８に担持でき、さらに水分脱着のためにある程度の耐熱性がある物質であれば良く、例えば、シリカゲル、ゼオライトなどの無機質の吸着型吸湿剤、有機高分子電解質（イオン交換樹脂）などの吸湿剤、塩化リチウムなどの吸収型吸湿剤等を用いることができる。さらに吸着剤１０７は１種類に限るものではなく、上述した吸着剤１０７の２種類以上を組み合わせて用いても良い。
【００７０】
また、本実施形態の冷媒回路１０６に充填する冷媒１１７としては、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等を用いることができる。
【００７１】
（実施の形態２）
図５は、本発明の実施形態２にかかる除湿装置の概略構成を示した図である。図５に示すように、除湿装置の本体１０１内に、圧縮機１０２、放熱器１０３、膨張機構１０４、吸熱器１０５を配管接続した冷媒回路１０６と、供給空気から吸湿する吸湿部１２０および供給空気に対して放湿する放湿部１２１を有する吸放湿手段１１９を設け、冷媒回路１０６内に冷媒１１７を充填している。また、本体１０１に除湿空気用吸込口８、除湿空気用吹出口９、補助空気用吸込口１０および補助空気用吹出口１１を開口し、除湿空気用ファン１２の運転によって、除湿空気用吸込口８から除湿対象空気１１６として非除湿対象空間１３の空気を本体１０１内に供給するとともに、補助空気用ファン１４の運転によって除湿補助空気２として除湿対象空間１５の空気を本体１０１内に供給する構成としている。そして、本体１０１内に供給された除湿対象空気１１６が、放熱器１０３、放湿部１２１、吸熱器１０５、吸湿部１２０の順に供給されて、除湿空気用吹出口９より除湿対象空間１５に供給され、また、除湿補助空気２が、除湿対象空気１１６と反対方向から吸湿部１２０に供給されて補助空気用吹出口１１より除湿対象空間１５に供給されるように本体１０１内に風路を形成している。そして、圧縮機１０２により冷媒１１７を圧縮することによって、冷媒１１７が、放熱器１０３、膨張機構１０４、吸熱器１０５の順に冷媒回路１０６内を循環し、放熱器１０３に供給される除湿対象空気１１６に対して放熱するとともに吸熱器１０５に供給される除湿対象空気１１６から吸熱することによってヒートポンプ１１８を作動させる構成となっている。
【００７２】
図６は、吸放湿手段１１９の詳細構成を示した図である。吸放湿手段１１９は、吸着剤１０７が担持された軸方向に通風可能な円筒状のハニカムローター１０８を備えており、このハニカムローター１０８を回動自在に回転軸３で支持している。そして、ハニカムローター１０８の外周にギア４を形成し、このギア４と回転駆動する駆動モーター５の歯車部６にベルト７を巻装している。また、吸湿部１２０に供給される除湿対象空気１１６および除湿補助空気２と放湿部１２１に供給される除湿対象空気１１６の相互流通を抑制するように風路を仕切っており、駆動モーター５を駆動するとベルト７を介してギア４に駆動力が伝達してハニカムローター１０８が回転することになる。このハニカムローター１０８の回転によって吸着剤１０７は、放湿部１２１に供給される除湿対象空気１１６、吸湿部１２０に供給される除湿対象空気１１６、吸湿部１２０に供給される除湿補助空気２の順に接触を繰り返すことになる。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、放湿部１２１で吸着剤１０７と接触する除湿対象空気１１６は、放熱器１０３において冷媒１１７の放熱により加熱された高温かつ低い相対湿度の空気であり、吸湿部１２０で吸着剤１０７と接触する除湿対象空気１１６は、吸熱器１０５において冷媒１１７の吸熱により冷却された低温かつ高い相対湿度の空気であるので、この相対湿度の差によって、吸着剤１０７の吸脱着作用が為されて吸放湿手段１１９が作動することになる。また、吸湿部１２０で吸着剤１０７と接触する除湿補助空気２は、除湿装置周囲の空気であり、放湿部１２１に供給される除湿対象空気１１６より低温で吸湿部１２０に供給される除湿対象空気１１６より高温であるので、吸着剤１０７が除湿補助空気２によって予熱されてから放湿部１２１に移動して、放湿部１２１における除湿対象空気１１６への水分脱着量が増加することになる。次に除湿装置の動作を説明する。
【００７３】
図７は、図５に示した除湿装置の冷媒１１７の状態変化を示すモリエル線図（圧力−エンタルピ線図）である。図７に示した点Ａ、点Ｂ、点Ｃ、点Ｄを矢符で結んだサイクルは、冷媒回路１０６内を循環する冷媒１１７の状態変化を示しており、冷媒１１７は圧縮機１０２において圧縮されることにより圧力とエンタルピが上昇して点Ａから点Ｂの状態変化を行い、放熱器１０３において供給される除湿対象空気１１６に対して放熱することによりエンタルピが減少して点Ｂから点Ｃの状態となる。次に膨張機構１０４において膨張して減圧することにより圧力が低下して点Ｃから点Ｄの状態変化を行い、吸熱器１０５において供給される除湿対象空気１１６から吸熱することによりエンタルピが増加して点Ｄから点Ａの状態に戻る。このような冷媒１１７の状態変化により、吸熱器１０５において吸熱し、放熱器１０３において放熱するヒートポンプ１１８が動作し、この時、点Ｂと点Ｃのエンタルピ差に冷媒１１７の循環量を乗じた値が放熱器１０３における放熱量、点Ａと点Ｄ（点Ｃ）のエンタルピ差に冷媒１１７の循環量を乗じた値が吸熱器１０５における吸熱量となり、放熱量と吸熱量の差、即ち点Ｂと点Ａのエンタルピ差に冷媒１１７の循環量を乗じた値が圧縮機１０２の圧縮仕事量になる。
【００７４】
図８は、図５に示した除湿装置における除湿対象空気１１６および除湿補助空気２の状態変化を示す湿り空気線図である。図８に示した湿り空気線図において、まず、非除湿空間１３の空気である点ａの状態の除湿対象空気１１６が放熱器１０３に供給され、冷媒１１７の放熱により加熱されて点ｂの状態となる。点ｂの状態となった除湿対象空気１１６は、次に放湿部１２１に供給されてハニカムローター１０８に担持された吸着剤１０７が保有している水分を脱着することにより加湿されて、湿度が上昇するとともに温度が低下して点ｃの状態となる。点ｃの状態となった除湿対象空気１１６は、次に吸熱器１０５に供給され、冷媒１１７の吸熱により露点温度以下まで冷却されて点ｄの飽和状態となる。この時に飽和した水分は凝縮水としてタンク１２２に回収される。点ｄの飽和状態となった除湿対象空気１１６は次に吸湿部１２０に供給され、吸着剤１０７に水分を吸着されることによって除湿されて湿度が低下するとともに温度が上昇し、点ｅの状態の乾燥空気となる。一方、除湿対象空間１５の空気である点ｆの状態の除湿補助空気２は、吸湿部１２０に供給されて除湿対象空気１１６により冷却された吸着剤１０７を予熱するとともに吸着剤１０７に水分を吸着されることによって除湿され、湿度が低下して点ｇの乾燥空気となる。点ｅの状態となった除湿対象空気１１６と点ｇの状態となった除湿補助空気２は、ともに除湿対象空間１５に排出される。以上の除湿対象空気１１６および除湿補助空気２の状態変化において、吸熱器１０５において回収される凝縮水の量は、点ｃと点ｄの絶対湿度差に除湿対象空気１１６の重量換算風量を乗じた値となり、放湿部１２１における放湿量は、点ｂと点ｃの絶対湿度差に除湿対象空気１１６の重量換算風量を乗じた値となる。また、吸湿部１２０における吸湿量は、点ｄと点ｅの絶対湿度差に除湿対象空気１１６の重量換算風量を乗じた値と点ｆと点ｇの絶対湿度差に除湿補助空気２の重量換算風量を乗じた値との加算値となる。
【００７５】
以上の動作において、理想状態では、放湿部１２１の出口空気状態を示す点ｃは、吸湿部１２０の入口空気状態を示す点ｄと同一の相対湿度である点ｃ’に近づき、吸湿部１２０の出口空気状態を示す点ｅおよび点ｇは、放湿部１２１の入口空気状態を示す点ｂと同一の相対湿度である点ｅ’および点ｇ’に近づく。したがって点ｄの相対湿度を上昇させ、点ｂの相対湿度を低下させること、即ち、点ｄで示した吸湿部１２０への供給空気と点ｂで示した放湿部１２１への供給空気との相対湿度差を拡大することが吸放湿量を高めることになり、結果的に除湿効率が向上することになるのである。また、点ａと点ｂのエンタルピ差に除湿対象空気１１６の重量換算風量を乗じた値が放熱器１０３における放熱量、点ｃと点ｄのエンタルピ差に除湿対象空気１１６の重量換算風量を乗じた値が吸熱器１０５における吸熱量となり、この放熱器１０３における放熱量および吸熱器１０５における吸熱量は、図７の冷媒１１７の状態変化から得られる放熱量および吸熱量と等しくなる。従って、除湿対象空気１１６のみでは不足する吸放湿手段１１９の吸湿量を除湿補助空気２が補うことによって、除湿対象空気１１６の風量を放熱器１０３における放熱、放湿部１２１における放湿、吸熱器１０５における吸熱の各過程における最適な値に設定することができるのである。
【００７６】
以上、説明した構成および動作により、本実施形態の除湿装置は以下の効果を奏するものである。
【００７７】
除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に、放湿部１２１に供給される除湿対象空気１１６よりも多くの空気を供給することによって、吸放湿手段１１９の吸湿に適する風量と、吸放湿手段１１９の放湿に適する風量とのアンバランスを解消し、効率の良い除湿を行うことができる。
【００７８】
また、除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に、吸熱器１０５に供給される除湿対象空気１１６よりも多くの空気を供給することによって、吸放湿手段１１９の吸湿に適する風量とヒートポンプ１１８の吸熱に適する風量とのアンバランスを解消し、効率の良い除湿を行うことができる。
【００７９】
また、除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に、放熱器１０３に供給される除湿対象空気１１６よりも多くの空気を供給することによって、吸放湿手段１１９の吸湿に適する風量とヒートポンプ１１８の放熱に適する風量とのアンバランスを解消し、効率の良い除湿を行うことができる。
【００８０】
また、除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に除湿補助空気２を供給することによって、吸放湿手段１１９の吸湿に適する風量と、ヒートポンプ１１８の吸放熱および吸放湿手段１１９の放湿に適する風量とのアンバランスを解消し、効率の良い除湿を行うことができる。
【００８１】
また、除湿補助空気２の温度を、放湿部１２１に供給される除湿対象空気１１６よりも低温で、吸湿部１２０に供給される除湿対象空気１１６よりも高温となるように構成することによって、除湿補助空気２を放湿部１２１における余熱の除去や吸湿部１２０での予熱に利用することができる。
【００８２】
また、除湿対象空気１１６と除湿補助空気２の吸湿部１２０通過方向を反対方向となるように構成することによって、除湿対象空気１１６と除湿補助空気２を反対方向から容易に吸湿部１２０に供給することができる。これにより複数の供給空気を用いる除湿に適した装置構成を容易に実現することができる。
【００８３】
また、除湿対象空気１１６を供給する除湿空気用ファン１２と、除湿補助空気２を供給する補助空気用ファン１４を備えた構成とすることによって、除湿対象空気１１６と除湿補助空気２の各々の風量制御を容易に行うことができる。
【００８４】
また、吸放湿手段１１９を、ハニカムローター１０８に担持された吸着剤１０７が、吸湿部１２０において除湿対象空気１１６から水分を吸着するとともに放湿部１２１において除湿対象空気１１６へ水分を脱着するようにハニカムローター１０８を配し、ハニカムローター１０８の回転により、吸湿部１２０における水分吸着と放湿部１２１における水分脱着を繰り返すように構成することによって、ハニカムローター１０８の回転という簡単な操作で、吸湿部１２０における吸着剤１０７の水分吸着と、放湿部１２１における吸着剤１０７の水分脱着を容易に繰り返すことができ、除湿装置を安価に構成することができる。
【００８５】
また、ハニカムローター１０８の回転によって、吸着剤１０７が、放熱器１０３で加熱された除湿対象空気１１６、吸熱器１０５で冷却された除湿対象空気１１６、除湿補助空気２の順に接触を繰り返すように構成することによって、吸着剤１０７を除湿補助空気２によって予熱してから放湿部１２１に移動させ、放湿部１２１における除湿対象空気１１６への水分脱着量を増加させることができる。
【００８６】
なお、本実施形態のハニカムローター１０８に担持する吸着剤１０７としては、吸湿性があってハニカムローター１０８に担持でき、さらに水分脱着のためにある程度の耐熱性がある物質であれば良く、例えば、シリカゲル、ゼオライトなどの無機質の吸着型吸湿剤、有機高分子電解質（イオン交換樹脂）などの吸湿剤、塩化リチウムなどの吸収型吸湿剤等を用いることができる。さらに吸着剤１０７は１種類に限るものではなく、上述した吸着剤１０７の２種類以上を組み合わせて用いても良い。
【００８７】
また、本実施形態の冷媒回路１０６に充填する冷媒１１７としては、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等を用いることができる。
【００８８】
また、本実施形態では、除湿対象空気１１６として非除湿対象空間１３の空気、除湿補助空気２として除湿対象空間１５の空気を用いる構成としたが、何れの空気を用いるかは、使用用途によるものであり、用途に応じて、除湿対象空気１１６として除湿対象空間１５の空気、除湿補助空気２として非除湿対象空間１３の空気を用いる構成としても良く、また、除湿対象空気１１６と除湿補助空気２の両方に非除湿対象空間１３の空気もしく除湿対象空間１５の空気を用いる構成としても良い。
【００８９】
（実施の形態３）
図９は、本発明の実施形態３にかかる除湿装置の概略構成を示した図である。図９に示すように、除湿装置の本体１０１内に、圧縮機１０２、放熱器１０３、膨張機構１０４、吸熱器１０５を配管接続した冷媒回路１０６と、供給空気から吸湿する吸湿部１２０および供給空気に対して放湿する放湿部１２１を有する吸放湿手段１１９を設け、冷媒回路１０６内に冷媒１１７を充填している。また、本体１０１には除湿空気用吸込口８、補助空気用吸込口１０と吹出口１１３を開口し、送風ファン１の運転によって、除湿空気用吸込口８から除湿対象空気１１６を本体１０１内に供給するとともに補助空気用吸込口１０から除湿補助空気２を本体１０１内に供給する構成としている。そして、本体１０１内に供給された除湿対象空気１１６が、放熱器１０３、放湿部１２１、吸熱器１０５、吸湿部１２０に順に供給されて吹出口１１３より本体１０１外部に流出し、また、除湿補助空気２が、除湿対象空気１１６と同一方向から吸湿部１２０に供給されて除湿対象空気１１６とともに吹出口１１３より本体１０１外部に流出するように風路を形成している。そして、圧縮機１０２により冷媒１１７を圧縮することによって、冷媒１１７が、放熱器１０３、膨張機構１０４、吸熱器１０５の順に冷媒回路１０６内を循環し、放熱器１０３に供給される除湿対象空気１１６に対して放熱するとともに吸熱器１０５に供給される除湿対象空気１１６から吸熱することによってヒートポンプ１１８を作動させる構成となっている。
【００９０】
図１０は、吸放湿手段１１９の詳細構成を示した図である。吸放湿手段１１９は、吸着剤１０７が担持された軸方向に通風可能な円筒状のハニカムローター１０８を備えており、このハニカムローター１０８を回動自在に回転軸３で支持している。そして、ハニカムローター１０８の外周にギア４を形成し、このギア４と回転駆動する駆動モーター５の歯車部６にベルト７を巻装している。また、吸湿部１２０に供給される除湿対象空気１１６および除湿補助空気２と放湿部１２１に供給される除湿対象空気１１６の相互流通を抑制するように風路を仕切っており、駆動モーター５を駆動するとベルト７を介してギア４に駆動力が伝達してハニカムローター１０８が回転することになる。このハニカムローター１０８の回転によって吸着剤１０７は、放湿部１２１に供給される除湿対象空気１１６、吸湿部１２０に供給される除湿補助空気２、吸湿部１２０に供給される除湿対象空気１１６、吸湿部１２０に供給される除湿補助空気２の順に接触を繰り返すことになる。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、放湿部１２１で吸着剤１０７と接触する除湿対象空気１１６は、放熱器１０３において冷媒１１７の放熱により加熱された高温かつ低い相対湿度の空気であり、吸湿部１２０で吸着剤１０７と接触する除湿対象空気１１６は、吸熱器１０５において冷媒１１７の吸熱により冷却された低温かつ高い相対湿度の空気であるので、この相対湿度の差によって、吸着剤１０７の吸脱着作用が為されて吸放湿手段１１９が作動することになる。また、吸湿部１２０で吸着剤１０７と接触する除湿補助空気２は、除湿装置周囲の空気であり、放湿部１２１に供給される除湿対象空気１１６より低温で吸湿部１２０に供給される除湿対象空気１１６より高温であるので、吸着剤１０７が除湿補助空気２によって予熱されてから放湿部１２１に移動することとなり、放湿部１２１における除湿対象空気１１６への水分脱着量が増加するとともに、吸着剤１０７が保有する放熱器１０３の余熱を除湿補助空気２によって除去された後に、吸湿部１２０において吸着剤１０７が低温の除湿対象空気１１６と接触するので吸着剤１０７の水分吸着量が増加することになる。次に除湿装置の動作を説明する。
【００９１】
図１１は、図９に示した除湿装置の冷媒１１７の状態変化を示すモリエル線図（圧力−エンタルピ線図）である。図１１に示した点Ａ、点Ｂ、点Ｃ、点Ｄを矢符で結んだサイクルは、冷媒回路１０６内を循環する冷媒１１７の状態変化を示しており、冷媒１１７は圧縮機１０２において圧縮されることにより圧力とエンタルピが上昇して点Ａから点Ｂの状態変化を行い、放熱器１０３において供給される除湿対象空気１１６に対して放熱することによりエンタルピが減少して点Ｂから点Ｃの状態となる。次に膨張機構１０４において膨張して減圧することにより圧力が低下して点Ｃから点Ｄの状態変化を行い、吸熱器１０５において供給される除湿対象空気１１６から吸熱することによりエンタルピが増加して点Ｄから点Ａの状態に戻る。このような冷媒１１７の状態変化により、吸熱器１０５において吸熱し、放熱器１０３において放熱するヒートポンプ１１８が動作し、この時、点Ｂと点Ｃのエンタルピ差に冷媒１１７の循環量を乗じた値が放熱器１０３における放熱量、点Ａと点Ｄ（点Ｃ）のエンタルピ差に冷媒１１７の循環量を乗じた値が吸熱器１０５における吸熱量となり、放熱量と吸熱量の差、即ち点Ｂと点Ａのエンタルピ差に冷媒１１７の循環量を乗じた値が圧縮機１０２の圧縮仕事量になる。
【００９２】
図１２は、図９に示した除湿装置における除湿対象空気１１６および除湿補助空気２の状態変化を示す湿り空気線図である。図１２に示した湿り空気線図において、まず、点ａの状態の除湿対象空気１１６が放熱器１０３に供給され、冷媒１１７の放熱により加熱されて点ｂの状態となる。点ｂの状態となった除湿対象空気１１６は、次に放湿部１２１に供給されてハニカムローター１０８に担持された吸着剤１０７が保有している水分を脱着することにより加湿されて、湿度が上昇するとともに温度が低下して点ｃの状態となる。点ｃの状態となった除湿対象空気１１６は、次に吸熱器１０５に供給され、冷媒１１７の吸熱により露点温度以下まで冷却されて点ｄの飽和状態となる。この時に飽和した水分は凝縮水としてタンク１２２に回収される。点ｄの飽和状態となった除湿対象空気１１６は次に吸湿部１２０に供給され、吸着剤１０７に水分を吸着されることによって除湿されて湿度が低下するとともに温度が上昇し、点ｅの状態の乾燥空気となる。一方、点ａ状態の除湿補助空気２は、ハニカムローター１０８の回転方向において放湿部１２１の前段に位置する吸湿部１２０および放湿部１２１の後段に位置する吸湿部１２０に各々供給され、放湿部１２１の回転方向前段に位置する吸湿部１２０に供給された除湿補助空気２は、除湿対象空気１１６により冷却された吸着剤１０７を予熱するとともに吸着剤１０７に水分を吸着されることによって除湿され、湿度が低下して点ｆの状態の乾燥空気となる。また、放湿部１２１の回転方向後段に位置する吸湿部１２０に供給された除湿補助空気２は、吸着剤１０７が保有する放熱器１０３の余熱を除去するとともに吸着剤１０７に水分を吸着されることによって除湿され、温度が上昇するとともに湿度が低下して点ｆの状態の乾燥空気となる。点ｅの状態となった除湿対象空気１１６と点ｆおよび点ｇの状態となった除湿補助空気２は、ともに送風ファン１に吸引されて装置外部に排出される。以上の除湿対象空気１１６および除湿補助空気２の状態変化において、吸熱器１０５において回収される凝縮水の量は、点ｃと点ｄの絶対湿度差に除湿対象空気１１６の重量換算風量を乗じた値となり、放湿部１２１における放湿量は、点ｂと点ｃの絶対湿度差に除湿対象空気１１６の重量換算風量を乗じた値となる。また、吸湿部１２０における吸湿量は、点ｄと点ｅの絶対湿度差に除湿対象空気１１６の重量換算風量を乗じた値と、点ａと点ｆの絶対湿度差に放湿部の回転方向前段に位置する吸湿部１２０に供給される除湿補助空気２の重量換算風量を乗じた値と、点ａと点ｇの絶対湿度差に放湿部の回転方向後段に位置する吸湿部１２０に供給される除湿補助空気２の重量換算風量を乗じた値との加算値となる。
【００９３】
以上の動作において、理想状態では、点ｃで示される放湿部１２１出口の空気状態は、吸湿部１２０の入口空気状態を示す点ｄと同一の相対湿度である点ｃ’に近づき、吸湿部１２０の出口空気状態を示す点ｅ、点ｆ、点ｇは、放湿部１２１の入口空気状態を示す点ｂと同一の相対湿度である点ｅ’、点ｆ’、点ｇ’に各々近づく。したがって点ｄの相対湿度を上昇させ、点ｂの相対湿度を低下させること、即ち、点ｄで示した吸湿部１２０への供給空気と点ｂで示した放湿部１２１への供給空気との相対湿度差を拡大することが吸放湿量を高めることになり、結果的に除湿効率が向上することになるのである。また、点ａと点ｂのエンタルピ差に除湿対象空気１１６の重量換算風量を乗じた値が放熱器１０３における放熱量、点ｃと点ｄのエンタルピ差に除湿対象空気１１６の重量換算風量を乗じた値が吸熱器１０５における吸熱量となり、この放熱器１０３における放熱量および吸熱器１０５における吸熱量は、図１１の冷媒１１７の状態変化から得られる放熱量および吸熱量と等しくなる。従って、除湿対象空気１１６のみでは不足する吸放湿手段１１９の吸湿量を除湿補助空気２が補うことによって、除湿対象空気１１６の風量を放熱器１０３における放熱、放湿部１２１における放湿、吸熱器１０５における吸熱の各過程における最適な値に設定することができるのである。
【００９４】
以上、説明した構成および動作により、本実施形態の除湿装置は以下の効果を奏するものである。
【００９５】
除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に、放湿部１２１に供給される除湿対象空気１１６よりも多くの空気を供給することによって、吸放湿手段１１９の吸湿に適する風量と、吸放湿手段１１９の放湿に適する風量とのアンバランスを解消し、効率の良い除湿を行うことができる。
【００９６】
また、除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に、吸熱器１０５に供給される除湿対象空気１１６よりも多くの空気を供給することによって、吸放湿手段１１９の吸湿に適する風量とヒートポンプ１１８の吸熱に適する風量とのアンバランスを解消し、効率の良い除湿を行うことができる。
【００９７】
また、除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に、放熱器１０３に供給される除湿対象空気１１６よりも多くの空気を供給することによって、吸放湿手段１１９の吸湿に適する風量とヒートポンプ１１８の放熱に適する風量とのアンバランスを解消し、効率の良い除湿を行うことができる。
【００９８】
また、除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に除湿補助空気２を供給することによって、吸放湿手段１１９の吸湿に適する風量と、ヒートポンプ１１８の吸放熱および吸放湿手段１１９の放湿に適する風量とのアンバランスを解消し、効率の良い除湿を行うことができる。
【００９９】
また、除湿補助空気２の温度を、放湿部１２１に供給される除湿対象空気１１６よりも低温で、吸湿部１２０に供給される除湿対象空気１１６よりも高温となるように構成することによって、除湿補助空気２を放湿部１２１における余熱の除去や吸湿部１２０での予熱に利用することができる。
【０１００】
また、除湿対象空気１１６と除湿補助空気２を単一の送風ファン１により供給する構成とすることによって、複数の送風ファンが不要となり装置を小型化することができる。
【０１０１】
また、吸放湿手段１１９を、ハニカムローター１０８に担持された吸着剤１０７が、吸湿部１２０において除湿対象空気１１６から水分を吸着するとともに放湿部１２１において除湿対象空気１１６へ水分を脱着するようにハニカムローター１０８を配し、ハニカムローター１０８の回転により、吸湿部１２０における水分吸着と放湿部１２１における水分脱着を繰り返すように構成することによって、ハニカムローター１０８の回転という簡単な操作で、吸湿部１２０における吸着剤１０７の水分吸着と、放湿部１２１における吸着剤１０７の水分脱着を容易に繰り返すことができ、除湿装置を安価に構成することができる。
【０１０２】
また、ハニカムローター１０８の回転によって、吸着剤１０７が、放熱器１０３で加熱された除湿対象空気１１６、除湿補助空気２、吸熱器１０５で冷却された除湿対象空気１１６、除湿補助空気２の順に接触を繰り返すように構成することによって、吸着剤１０７が保有する放熱器１０３の余熱を除湿補助空気２によって除去するとともに、吸着剤１０７を除湿補助空気２によって予熱してから放湿部１２１に移動させ、吸湿部１２０における除湿対象空気１１６からの水分吸着量と放湿部１２１における除湿対象空気１１６への水分脱着量を増加させることができる。
【０１０３】
なお、本実施形態のハニカムローター１０８に担持する吸着剤１０７としては、吸湿性があってハニカムローター１０８に担持でき、さらに水分脱着のためにある程度の耐熱性がある物質であれば良く、例えば、シリカゲル、ゼオライトなどの無機質の吸着型吸湿剤、有機高分子電解質（イオン交換樹脂）などの吸湿剤、塩化リチウムなどの吸収型吸湿剤等を用いることができる。さらに吸着剤１０７は１種類に限るものではなく、上述した吸着剤１０７の２種類以上を組み合わせて用いても良い。
【０１０４】
また、本実施形態の冷媒回路１０６に充填する冷媒１１７としては、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等を用いることができる。
【０１０５】
（実施の形態４）
図１３は、本発明の実施形態４にかかる除湿装置の概略構成を示した図である。図１３に示すように、除湿装置の本体１０１内に、圧縮機１０２、放熱器１０３、膨張機構１０４、吸熱器１０５を配管接続した冷媒回路１０６と、供給空気から吸湿する吸湿部１２０および供給空気に対して放湿する放湿部１２１を有する吸放湿手段１１９を設け、冷媒回路１０６内に冷媒１１７として二酸化炭素を充填している。また、本体１０１には吸込口１１２と吹出口１１３を開口し、送風ファン１の運転によって、除湿対象空気１１６が吸込口１１２から、放熱器１０３、放湿部１２１、吸熱器１０５、吸湿部１２０の順に供給され、再度吸湿部１２０に供給された後、吹出口１１３より本体１０１外部に流出するように風路を形成している。そして、圧縮機１０２により冷媒１１７を圧縮することによって、冷媒１１７が、放熱器１０３、膨張機構１０４、吸熱器１０５の順に冷媒回路１０６内を循環し、放熱器１０３に供給される除湿対象空気１１６に対して放熱するとともに吸熱器１０５に供給される除湿対象空気１１６から吸熱することによってヒートポンプ１１８を作動させる構成となっている。
【０１０６】
図１４は、吸放湿手段１１９の詳細構成を示した図である。吸放湿手段１１９は、吸着剤１０７が担持された軸方向に通風可能な円筒状のハニカムローター１０８を備えており、このハニカムローター１０８を回動自在に回転軸３で支持している。そして、ハニカムローター１０８の外周にギア４を形成し、このギア４と回転駆動する駆動モーター５の歯車部６にベルト７を巻装している。また、吸湿部１２０に供給される除湿対象空気１１６と放湿部１２１に供給される除湿対象空気１１６との相互流通を抑制するように風路を仕切っており、駆動モーター５を駆動するとベルト７を介してギア４に駆動力が伝達してハニカムローター１０８が回転することになる。このハニカムローター１０８の回転によって吸着剤１０７は、吸湿部１２０における除湿対象空気１１６との接触と放湿部１２１における除湿対象空気１１６との接触を繰り返すことになる。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、放湿部１２１で吸着剤１０７と接触する除湿対象空気１１６は、放熱器１０３において冷媒１１７の放熱により加熱された高温かつ低い相対湿度の空気であり、吸湿部１２０で吸着剤１０７と接触する除湿対象空気１１６は、吸熱器１０５において冷媒１１７の吸熱により冷却された低温かつ高い相対湿度の空気であるので、この相対湿度の差によって、吸着剤１０７の吸脱着作用が為されて吸放湿手段１１９が作動することになる。次に除湿装置の動作を説明する。
【０１０７】
図１５は、図１３に示した除湿装置の冷媒１１７の状態変化を示すモリエル線図（圧力−エンタルピ線図）である。図１５に示した点Ａ、点Ｂ、点Ｃ、点Ｄを矢符で結んだサイクルは、冷媒回路１０６内を循環する冷媒１１７としての二酸化炭素の状態変化を示している。二酸化炭素冷媒は、圧縮機１０２において臨界圧力よりも高い超臨界圧力まで圧縮されて点Ａから点Ｂの状態変化を行い、次に、放熱器１０３において供給される除湿対象空気１１６に対して放熱するが、超臨界状態であるため放熱しても凝縮せずに温度が下がって点Ｂから点Ｃの状態となる。そして膨張機構１０４において膨張して減圧することにより圧力が低下して点Ｃから点Ｄの状態変化を行い、吸熱器１０５において供給される除湿対象空気１１６から吸熱することによりエンタルピが増加して点Ｄから点Ａの状態に戻る。二酸化炭素に例示される超臨界圧力で放熱する冷媒をヒートポンプ１１８の作動流体として用いた場合は、圧縮後の放熱器１０３における温度が高温となるのが特徴である。このため、放熱器１０３において加熱される除湿対象空気１１６の温度も高くなり、より低い相対湿度の状態で放湿部１２１に供給されるので、吸湿部１２０に供給される除湿対象空気１１６との相対湿度の差が拡大することになる。この相対湿度の差の拡大によって吸放湿手段１１９の吸放湿量が増加し、除湿効率が更に向上することになるのである。
【０１０８】
図１６は、図１３に示した除湿装置における除湿対象空気１１６の状態変化を示す湿り空気線図である。図１６に示した湿り空気線図において、まず、点ａの状態の除湿対象空気１１６が放熱器１０３に供給され、冷媒１１７の放熱により加熱されて点ｂの状態となる。点ｂの状態となった除湿対象空気１１６は、次に放湿部１２１に供給されてハニカムローター１０８に担持された吸着剤１０７が保有している水分を脱着することにより加湿されて、湿度が上昇するとともに温度が低下して点ｃの状態となる。点ｃの状態となった除湿対象空気１１６は、次に吸熱器１０５に供給され、冷媒１１７の吸熱により露点温度以下まで冷却されて点ｄの飽和状態となる。この時に飽和した水分は凝縮水としてタンク１２２に回収される。点ｄの飽和状態となった除湿対象空気１１６は次に吸湿部１２０に供給され、吸着剤１０７に水分を吸着されることによって除湿されて湿度が低下するとともに温度が上昇し点ｅの状態となる。点ｅの状態となった除湿対象空気１１６は再度、吸湿部１２０に供給され、吸着剤１０７に水分を吸着されることにより再び除湿されて湿度が低下するとともに温度が上昇し点ｆの乾燥空気となり装置外部に排出される。以上の除湿対象空気１１６の状態変化において、吸熱器１０５において回収される凝縮水の量は、点ｃと点ｄの絶対湿度差に除湿対象空気１１６の重量換算風量を乗じた値となり、放湿部１２１における放湿量は、点ｂと点ｃの絶対湿度差に除湿対象空気１１６の重量換算風量を乗じた値となる。また、吸湿部１２０における吸湿量は、点ｄと点ｆの絶対湿度差に除湿対象空気１１６の重量換算風量を乗じた値となる。
【０１０９】
以上の動作において、理想状態では、放湿部１２１の出口空気状態を示す点ｃは、吸湿部１２０の入口空気状態を示す点ｄと同一の相対湿度である点ｃ’に近づき、吸湿部１２０の出口空気状態を示す点ｆは、放湿部１２１の入口空気状態を示す点ｂと同一の相対湿度である点ｆ’に近づく。したがって点ｄの相対湿度を上昇させ、点ｂの相対湿度を低下させること、即ち、点ｄで示した吸湿部１２０への供給空気と点ｂで示した放湿部１２１への供給空気との相対湿度差を拡大することが吸放湿量を高めることになり、結果的に除湿効率が向上することになるのである。また、点ａと点ｂのエンタルピ差に除湿対象空気１１６の重量換算風量を乗じた値が放熱器１０３における放熱量、点ｃと点ｄのエンタルピ差に除湿対象空気１１６の重量換算風量を乗じた値が吸熱器１０５における吸熱量となり、この放熱器１０３における放熱量および吸熱器１０５における吸熱量は、図１５の冷媒１１７の状態変化から得られる放熱量および吸熱量と等しくなる。従って、吸湿部１２０において１回の除湿対象空気１１６の供給では不足する吸放湿手段１１９の吸湿量を、除湿対象空気１１６を再度吸湿部１２０に供給して補うことによって、除湿対象空気１１６の風量を放熱器１０３における放熱、放湿部１２１における放湿、吸熱器１０５における吸熱の各過程における最適な値に設定することができるのである。
【０１１０】
以上、説明した構成および動作により、本実施形態の除湿装置は以下の効果を奏するものである。
【０１１１】
除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に、放湿部１２１に供給される除湿対象空気１１６よりも多くの空気を供給することによって、吸放湿手段１１９の吸湿に適する風量と、吸放湿手段１１９の放湿に適する風量とのアンバランスを解消し、効率の良い除湿を行うことができる。
【０１１２】
また、除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に、吸熱器１０５に供給される除湿対象空気１１６よりも多くの空気を供給することによって、吸放湿手段１１９の吸湿に適する風量とヒートポンプ１１８の吸熱に適する風量とのアンバランスを解消し、効率の良い除湿を行うことができる。
【０１１３】
また、除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに吸湿部１２０に、放熱器１０３に供給される除湿対象空気１１６よりも多くの空気を供給することによって、吸放湿手段１１９の吸湿に適する風量とヒートポンプ１１８の放熱に適する風量とのアンバランスを解消し、効率の良い除湿を行うことができる。
【０１１４】
また、吸放湿手段１１９を、ハニカムローター１０８に担持された吸着剤１０７が、吸湿部１２０において除湿対象空気１１６から水分を吸着するとともに放湿部１２１において除湿対象空気１１６へ水分を脱着するようにハニカムローター１０８を配し、ハニカムローター１０８の回転により、吸湿部１２０における水分吸着と放湿部１２１における水分脱着を繰り返すように構成することによって、ハニカムローター１０８の回転という簡単な操作で、吸湿部１２０における吸着剤１０７の水分吸着と、放湿部１２１における吸着剤１０７の水分脱着を容易に繰り返すことができ、除湿装置を安価に構成することができる。
【０１１５】
また、冷媒１１７が放熱器１０３において超臨界圧力にて放熱を行う構成とすることによって、放熱器１０３において除湿対象空気１１６を更に高温に加熱し、放湿部１２１に供給される除湿対象空気１１６と吸湿部１２０に供給される除湿対象空気１１６との相対湿度差を拡大することができる。これにより吸放湿手段１１９の吸放湿量を増加して更に効率の良い除湿を行うことができる。
【０１１６】
また、冷媒１１７として二酸化炭素を用いる構成とすることによって、放熱器１０３において除湿対象空気１１６を更に高温に加熱し、放湿部１２１に供給される除湿対象空気１１６と吸湿部１２０に供給される除湿対象空気１１６との相対湿度差を拡大することができる。これにより吸放湿手段１１９の吸放湿量を増加して更に効率の良い除湿を行うことができる。
【０１１７】
なお、本実施形態のハニカムローター１０８に担持する吸着剤１０７としては、吸湿性があってハニカムローター１０８に担持でき、さらに水分脱着のためにある程度の耐熱性がある物質であれば良く、例えば、シリカゲル、ゼオライトなどの無機質の吸着型吸湿剤、有機高分子電解質（イオン交換樹脂）などの吸湿剤、塩化リチウムなどの吸収型吸湿剤等を用いることができる。さらに吸着剤１０７は１種類に限るものではなく、上述した吸着剤１０７の２種類以上を組み合わせて用いても良い。
【産業上の利用可能性】
【０１１８】
以上のように本発明にかかる除湿装置は、循環経路１１１を要しない簡易な構成で、多様な環境下で効率の良い除湿を行い得るものであり、除湿機、乾燥機、空調機、溶剤回収装置等の高効率な除湿機能が所望される用途に適している。
【図面の簡単な説明】
【０１１９】
【図１】本発明の実施形態１にかかる除湿装置の概略構成を示した図
【図２】同、除湿装置の吸放湿手段１１９の詳細構成を示した図
【図３】同、除湿装置の冷媒１１７の状態変化を示すモリエル線図（圧力−エンタルピ線図）
【図４】同、除湿装置における除湿対象空気１１６および除湿補助空気２の状態変化を示す湿り空気線図
【図５】本発明の実施形態２にかかる除湿装置の概略構成を示した図
【図６】同、除湿装置の吸放湿手段１１９の詳細構成を示した図
【図７】同、除湿装置の冷媒１１７の状態変化を示すモリエル線図（圧力−エンタルピ線図）
【図８】同、除湿装置における除湿対象空気１１６および除湿補助空気２の状態変化を示す湿り空気線図
【図９】本発明の実施形態３にかかる除湿装置の概略構成を示した図
【図１０】同、除湿装置の吸放湿手段１１９の詳細構成を示した図
【図１１】同、除湿装置の冷媒１１７の状態変化を示すモリエル線図（圧力−エンタルピ線図）
【図１２】同、除湿装置における除湿対象空気１１６および除湿補助空気２の状態変化を示す湿り空気線図
【図１３】本発明の実施形態４にかかる除湿装置の概略構成を示した図
【図１４】同、除湿装置の吸放湿手段１１９の詳細構成を示した図
【図１５】同、除湿装置の冷媒１１７の状態変化を示すモリエル線図（圧力−エンタルピ線図）
【図１６】同、除湿装置における除湿対象空気１１６の状態変化を示す湿り空気線図
【図１７】従来の除湿装置の概略構成を示した図
【符号の説明】
【０１２０】
１  送風ファン
２  除湿補助空気
１２  除湿空気用ファン
１４  補助空気用ファン
１０２  圧縮機
１０３  放熱器
１０４  膨張機構
１０５  吸熱器
１０７  吸着剤
１０８  ハニカムローター
１１６  除湿対象空気
１１７  冷媒
１１８  ヒートポンプ
１１９  吸放湿手段
１２０  吸湿部
１２１  放湿部
【図１】
2006116493.tif 000003
【図２】
2006116493.tif 000004
【図３】
2006116493.tif 000005
【図４】
2006116493.tif 000006
【図５】
2006116493.tif 000007
【図６】
2006116493.tif 000008
【図７】
2006116493.tif 000009
【図８】
2006116493.tif 000010
【図９】
2006116493.tif 000011
【図１０】
2006116493.tif 000012
【図１１】
2006116493.tif 000013
【図１２】
2006116493.tif 000014
【図１３】
2006116493.tif 000015
【図１４】
2006116493.tif 000016
【図１５】
2006116493.tif 000017
【図１６】
2006116493.tif 000018
【図１７】
2006116493.tif 000019